(57)【要約】【課題】設置や撤去が容易であり、かつ、使用するときには十分な収納空間を確保でき、使用しないときにはコンパクトにすることができる家具を提供する。【解決手段】一対の縦板１１と、一対の縦板間に連結され、該縦板の上端に配置された天板１３ａと、一対の縦板間に連結され、該縦板の下端に配置された底板１３ｂと、一対の縦板、天板および底板で囲まれて形成された収納空間１７の一方側の開口を覆うように配置された背板１５と、を備えた家具１０において、天板および底板は、幅方向において折り畳み可能に分割され、かつ、縦板に対して回動可能に連結されており、背板は、天板と底板の間において折り畳み可能に、かつ、一方の縦板に対して回動可能に連結されている。【選択図】図１
2018191712.tif 000002
【特許請求の範囲】
【請求項１】
一対の縦板と、
前記一対の縦板間に連結され、該縦板の上端に配置された天板と、
前記一対の縦板間に連結され、該縦板の下端に配置された底板と、
前記一対の縦板、前記天板および前記底板で囲まれて形成された収納空間の一方側の開口を覆うように配置された背板と、を備えた家具において、
前記天板および前記底板は、幅方向において折り畳み可能に分割され、かつ、前記縦板に対して回動可能に連結されており、
前記背板は、前記天板と前記底板の間において折り畳み可能に、かつ、一方の縦板に対して回動可能に連結されていることを特徴とする家具。
【請求項２】
前記一対の縦板間に連結され、前記天板と前記底板との間に配置された固定棚板を備え、
前記固定棚板は、幅方向において折り畳み可能に分割され、かつ、前記縦板に対して回動可能に連結されており、
前記背板は、前記固定棚板と前記天板または前記底板との間に折り畳まれて収容可能に構成されていることを特徴とする請求項１に記載の家具。
【請求項３】
前記一対の縦板が幅方向に複数連設されて、前記収納空間が複数形成されていることを特徴とする請求項１または２に記載の家具。
【請求項４】
前記収納空間は、一方側開口及び他方側開口を有し、
幅方向に隣り合う前記背板は、前記一方側開口を覆う一方側背板と、前記他方側開口を覆う他方側背板と、が互いに交互に配置されていることを特徴とする請求項３に記載の家具。
【請求項５】
前記天板、前記底板、および前記固定棚板は、それぞれ奥行方向の分割線により分割された複数の分割横片を有し、
前記縦板と前記分割横片とを回動可能に連結する第１ヒンジ部と、
互いに隣接する前記分割横片同士をそれぞれ回動可能に連結する第２ヒンジ部と、を有していることを特徴とする請求項２乃至４のいずれか一項に記載の家具。
【請求項６】
前記背板は、前記一対の縦板間に設けられ、幅方向の分割線により分割された複数の分割縦片を有し、
一方の前記縦板と一つの前記分割縦片とを回動可能に連結する第３ヒンジ部と、
互いに隣接する前記分割縦片同士をそれぞれ回動可能に連結する第４ヒンジ部と、を有していることを特徴とする請求項１乃至５のいずれか一項に記載の家具。
【発明の詳細な説明】
【技術分野】
【０００１】
本発明は、家具に関する。
【背景技術】
【０００２】
従来、室内空間の中間位置に家具を配置することで、複数の空間を間仕切ることが行われている。家具を用いて間仕切ることで、間仕切りとしての機能と家具として収納機能とを両立できる。
例えば、下記特許文献１では、組立部材を任意に組み合わせて収納機能を変更できる複数の組立て家具を連結して、広い室内空間の任意の位置にセンターウォールとして配置できる組立て家具が提案されている。
【先行技術文献】
【特許文献】
【０００３】
【特許文献１】特開２０１１−４２７号公報
【発明の概要】
【発明が解決しようとする課題】
【０００４】
しかしながら、特許文献１の間仕切り用組立て家具は、間仕切り部分に家具の収容量等に応じた収容機能を確保できるものの、一度設置してしまうと、その後、間仕切りに使用する必要がなくなった場合でも、容易にレイアウト変更などすることが困難であった。
【０００５】
そこで、本発明は上記事情に鑑みてなされたものであり、設置や撤去が容易であり、かつ、使用するときには十分な収納空間を確保でき、使用しないときにはコンパクトにすることができる家具を提供することを目的とする。
【課題を解決するための手段】
【０００６】
上記目的を達成するため、本発明に係る家具は、一対の縦板と、前記一対の縦板間に連結され、該縦板の上端に配置された天板と、前記一対の縦板間に連結され、該縦板の下端に配置された底板と、前記一対の縦板、前記天板および前記底板で囲まれて形成された収納空間の一方側の開口を覆うように配置された背板と、を備えた家具において、前記天板および前記底板は、幅方向において折り畳み可能に分割され、かつ、前記縦板に対して回動可能に連結されており、前記背板は、前記天板と前記底板の間において折り畳み可能に、かつ、一方の縦板に対して回動可能に連結されていることを特徴としている。
【０００７】
本発明によれば、縦板が高さ方向に連続して形成され、天板および底板が幅方向に分割されて縦板に折り畳み可能に連結している。さらに、縦板、天板および底板に囲まれる収納空間の一方の開口を覆う背板が高さ方向に分割されて、一方の縦板に回動可能に連結している。
これにより、一対の縦板間に配された天板、底板および背板を折り畳むことで、一対の縦板どうしを近接させるようにしてコンパクトにすることができる。したがって、設置や撤去を容易に行うことができるとともに、使用時（展開時）には十分な収納空間を確保することができる。
【０００８】
本発明に係る家具は、前記一対の縦板間に連結され、前記天板と前記底板との間に配置された固定棚板を備え、前記固定棚板は、幅方向において折り畳み可能に分割され、かつ、前記縦板に対して回動可能に連結されており、前記背板は、前記固定棚板と前記天板または前記底板との間に折り畳まれて収容可能に構成されていてもよい。
【０００９】
このような家具によれば、収納空間内を固定棚板により高さ方向に分割することができる。また、背板についても固定棚板と天板または底板との間に折り畳まれて収容可能に構成されているため、折り畳み時には一対の縦板どうしを近接させるようにしてコンパクトにすることができる。
【００１０】
本発明に係る家具は、前記一対の縦板が幅方向に複数連設されて、前記収納空間が複数形成されていてもよい。
【００１１】
このような家具によれば、収納空間が幅方向に連設され、使用しない際には一対の縦板どうしを近接させるように折り畳んで収容したり、折り畳んだ状態で他の場所に容易に移動させたりすることができる。また、幅方向に複数の収納空間を連設させることにより、大部屋の間仕切り壁として用いることもできる。つまり、間仕切り部分を有効に活用することができる。この際、背板が間仕切り壁の機能を有することになる。
【００１２】
本発明に係る家具は、前記収納空間は、一方側開口及び他方側開口を有し、幅方向に隣り合う前記背板は、前記一方側開口を覆う一方側背板と、前記他方側開口を覆う他方側背板と、が互いに交互に配置されていてもよい。
【００１３】
このような家具によれば、間仕切り壁の機能を備えた背板が幅方向に一方側開口と他方側開口とを交互に覆うことにより、間仕切り壁の両側に形成されたそれぞれの部屋に対して十分な収納空間を確保することができる。つまり、間仕切り部分を有効に活用することができる。また、背板を一方側と他方側に対して交互に配置させることにより、家具としての構造強度を向上させることもできる。また、間仕切り用家具として使用しない際は、コンパクトに収容することができる。
【００１４】
本発明に係る家具は、前記天板、前記底板、および前記固定棚板は、それぞれ奥行方向の分割線により分割された複数の分割横片を有し、前記縦板と前記分割横片とを回動可能に連結する第１ヒンジ部と、互いに隣接する前記分割横片同士をそれぞれ回動可能に連結する第２ヒンジ部と、を有していてもよい。
【００１５】
このような構成によれば、天板、底板、および固定棚板が奥行方向の分割線により複数の分割横片に分割され、縦板との間が第１ヒンジ部により回動可能に連結され、互いに隣接する分割横片同士が第２ヒンジ部により回動可能に連結されているため、天板、底板、および固定棚板を容易に縦板と平行に積層配置（折り畳み配置）することができる。
【００１６】
本発明に係る家具は、前記背板は、前記一対の縦板間に設けられ、幅方向の分割線により分割された複数の分割縦片を有し、一方の前記縦板と一つの前記分割縦片とを回動可能に連結する第３ヒンジ部と、互いに隣接する前記分割縦片同士をそれぞれ回動可能に連結する第４ヒンジ部と、を有していてもよい。
【００１７】
このような構成によれば、背板が一対の縦板間に設けられて幅方向の分割線により分割された複数の分割縦片を有し、一方の縦板と分割縦片とが第３ヒンジ部により回動可能に連結され、互いに隣接する分割縦片同士が第４ヒンジ部により回動可能に連結されているため、複数の分割縦片で構成された背板の高さ方向の長さを小さくした状態（折り畳んだ状態）で収容することができる。換言すれば、背板を容易に縦板と平行に積層配置（折り畳み配置）することができる。
【発明の効果】
【００１８】
本発明の家具によれば、設置や撤去が容易であり、かつ、使用するときには十分な収納空間を確保でき、使用しないときにはコンパクトにすることができる家具を提供することができる。
【図面の簡単な説明】
【００１９】
【図１】本発明の実施形態に係る折り畳み可能な家具の正面図である。
【図２】本発明の実施形態に係る家具を示す図１のＡ−Ａ線に沿う断面図である。
【図３】本発明の実施形態に係る家具を示す図１のＢ−Ｂ線に沿う断面図である。
【図４】本発明の実施形態に係る家具の折り畳み途中を示す部分斜視図であり、背板を幅方向の分割線で折り畳んだ状態を示している。
【図５】本発明の実施形態に係る家具の折り畳み途中を示す斜視図であり、横板を折り畳む途中の状態を示している。
【図６】本発明の実施形態に係る家具の折り畳み状態を示す斜視図である。
【図７】本発明の実施形態に係る家具の別の態様を示す断面図（図１のＡ−Ａ線に沿う断面図に相当）である。
【発明を実施するための形態】
【００２０】
以下、本発明の実施形態について図を用いて詳細に説明する。
図１は、本実施形態の折り畳み可能な家具を示す正面図、図２は図１のＡ−Ａ線に沿う断面図、図３は図１のＢ−Ｂ線に沿う断面図である。各図中、Ｈは高さ方向を示し、Ｗは幅方向を示し、Ｄは奥行き方法を示している。
【００２１】
本実施形態の家具１０は、単なる収納用の家具としてだけでなく、部屋の間仕切り壁としても機能するものである。
図１に示すように、家具１０は、複数の縦板（側板、仕切板）１１と、互いに隣り合う縦板１１，１１間に設けられて上下方向に間隔を空けて配置される複数の横板（天板、底板、固定棚板）１３と、縦板１１および横板１３により囲まれた収納空間１７の一方の開口１８を覆うように配置される複数の背板１５と、を備えている。本実施形態の家具１０は、一対の縦板１１，１１と、一対の縦板１１，１１間に連結され、該縦板１１の上端に配置された天板１３ａと、一対の縦板１１，１１間に連結され、該縦板１１の下端に配置された底板１３ｂと、で囲まれて形成された収納空間１７が、幅方向Ｗに複数連設されて構成されている。本実施形態の家具１０は、さらに複数の横板１３および複数の背板１５をそれぞれ縦板１１に対して回動可能（折り畳み可能）に連結する複数のヒンジ部１９を備えている。なお、家具１０は、収納空間１７が一つだけ形成されたものであってもよい。
【００２２】
幅方向Ｗに配された複数の縦板１１は、互いに略平行に配置される一対の側板１１ａ，１１ａと、側板１１ａと同等の側面視形状を有し、側板１１ａと略平行となるように一対の側板１１ａ，１１ａ間に配置される複数の仕切板１１ｂと、を備えている。側板１１ａおよび仕切板１１ｂはいずれも高さ方向Ｈに連続した１枚の板材により形成されている。
【００２３】
複数の横板１３は、各縦板１１の上端部及び下端部に設けられた天板１３ａ及び底板１３ｂと、天板１３ａと底板１３ｂとの間に設けられた固定棚板１３ｃと、を備えている。本実施形態では、各縦板１１間、即ち、側板１１ａと仕切板１１ｂとの間及び仕切板１１ｂ同士の間に配置された天板１３ａ、底板１３ｂ及び固定棚板１３ｃのそれぞれは、一対の側板１１ａ，１１ａ間においていずれも高さ方向Ｈにおける同じ位置に設けられている。
【００２４】
本実施形態では、このように複数の縦板１１（側板１１ａ、仕切板１１ｂ）間に複数の横板１３（天板１３ａ、底板１３ｂ、固定棚板１３ｃ）が配置されることにより、正面視で四角形状の複数の収納空間１７がマトリックス状に形成されている。図２に示すように、各収納空間１７は一方側開口１８ａ及び他方側開口１８ｂを有しており、背板１５により何れか一方が覆われている。
【００２５】
横板１３は、それぞれ奥行方向Ｄの分割線１３ｄにより幅方向に分割された複数の分割横片１３ｅを有している。本実施形態では、全ての横板１３が２つに分割されている。
各分割横片１３ｅと、その分割横片１３ｅと隣接する側板１１ａ又は仕切板１１ｂとの間は第１ヒンジ部１９ａにより回動可能に連結されている。また、互いに隣接する分割横片１３ｅ同士はそれぞれ第２ヒンジ部１９ｂにより回動可能に連結されている。このように構成することにより、横板１３は一対の縦板１１，１１間において折り畳むことができるようになっている。なお、各ヒンジ部は蝶番などで構成されている。
【００２６】
第１ヒンジ部１９ａ及び第２ヒンジ部１９ｂは複数の分割横片１３ｅからなる横板１３の上面側と下面側とに交互に設けられている。これにより各横板１３の折り畳む向きが予め設定されている。
即ち、本実施形態の場合、図１に示すように、天板１３ａを構成する２枚の分割横片１３ｅでは、縦板１１と連結する第１ヒンジ部１９ａは天板１３ａの下面側に設けられ、分割横片１３ｅ同士を連結する第２ヒンジ部１９ｂは天板１３ａの上面側に設けられている。そのため天板１３ａは、中間部分が下向きに折り畳まれるように設定されている。
【００２７】
一方、底板１３ｂおよび固定棚板１３ｃを構成する２枚の分割横片１３ｅでは、縦板１１と連結する第１ヒンジ部１９ａは底板１３ｂおよび固定棚板１３ｃの上面側に設けられ、分割横片１３ｅ同士を連結する第２ヒンジ部１９ｂは底板１３ｂおよび固定棚板１３ｃの下面側に設けられている。そのため底板１３ｂおよび固定棚板１３ｃは、中間部分が上向きに折り畳まれるように設定されている。
横板１３の分割横片１３ｅがこのように折り畳まれることで、各分割横片１３ｅは縦板１１に対して積層状態で折り畳まれるようになっている。
【００２８】
本実施形態の家具１０では、一対の側板１１ａ，１１ａ及び複数の仕切板１１ｂには多数のダボ穴（不図示）が形成されており、所定のダボ穴に棚ダボを装着することで可動棚板が着脱可能に構成されている。
さらに、一対の側板１１ａ，１１ａ及び複数の仕切板１１ｂの奥行き方向に沿って等ピッチでダボ穴を形成しておくことにより、ハンガーパイプ、ネクタイ掛け、フック、小物ボックスなどが着脱自在に構成されていてもよい。また、収納空間１７の幅方向、奥行き方向のサイズに合った引き出しを設置可能に構成してもよい。
【００２９】
背板１５は、収納空間１７の背板として機能するだけでなく、間仕切壁としても機能するように構成されている。したがって、背板１５は、例えば表裏両面が化粧面からなる板材で構成されている。
各背板１５は、互いに隣り合う縦板１１間毎に設けられており、収納空間１７における一方側開口１８ａを覆う一方側背板１５ａと、他方側開口１８ｂを覆う他方側背板１５ｂと、を備えている。
【００３０】
本実施形態では、縦板１１間の高さ方向Ｈに隣接して形成される収納空間１７においては、奥行方向Ｄの同じ側に背板１５が設けられている。そして、幅方向Ｗに隣り合う収納空間１７においては、奥行方向Ｄの異なる向きに背板１５が設けられている。つまり、図２に示すように、幅方向Ｗにおいて、一方側背板１５ａと他方側背板１５ｂとが交互に設けられている。
【００３１】
図１、図３に示すように、背板１５は、固定棚板１３ｃの高さで幅方向Ｗの分割線１５ｄにより高さ方向Ｈに分割され、さらに横板１３、具体的には底板１３ｂの折り畳みスペースを確保するために、該底板１３ｂの上方にも分割線１５ｄが設けられて高さ方向Ｈに分割されている。つまり、本実施形態の背板１５は、高さ方向に３分割されている。
【００３２】
複数に分割された背板１５は、縦板１１に対して平面視で回動可能に構成された（幅方向Ｗに折り畳まれる）第１分割縦片１５ｅと、この第１分割縦片１５ｅに対して側面視で回動可能に構成された（高さ方向Ｈに折り畳まれる）第２分割縦片１５ｆとを有している。第２分割縦片１５ｆは、第１分割縦片１５ｅの上下にそれぞれ連結されている。
１枚の縦板１１と第１分割縦片１５ｅとの間が第３ヒンジ部１９ｃにより回動可能に連結され、第１分割縦片１５ｅと第２分割縦片１５ｆとの間が第４ヒンジ部１９ｄにより回動可能に連結されている。このように構成することにより、背板１５は縦板１１間において折り畳んで、一対の縦板１１，１１間に収容することができるようになっている。なお、各ヒンジ部は蝶番などで構成されている。
【００３３】
図２に示すように、第３ヒンジ部１９ｃが第１分割縦片１５ｅと縦板１１との間の収納空間１７側に高さ方向Ｈに沿って設けられているため、縦板１１に対して第１分割縦片１５ｅを回動させることで縦板１１に対して第１分割縦片１５ｅを積層状態で折り畳むことが可能となっている。
また、図３に示すように、第４ヒンジ部１９ｄが各第２分割縦片１５ｆと第１分割縦片１５ｅとの間の外側に幅方向Ｗに沿って設けられているため、第１分割縦片１５ｅに対して各第２分割縦片１５ｆを回動させることで第１分割縦片１５ｅに対して第２分割縦片１５ｆを積層状態で折り畳むことが可能となっている。第１分割縦片１５ｅが縦板１１に対して積層状態で折り畳まれることで、第２分割縦片１５ｆも縦板１１に対して積層状態で折り畳むことが可能となっている。
【００３４】
このような構成の本実施形態の家具１０は、間仕切り用に使用することができる。即ち、家具１０を展開させた状態で室内空間２１の中間位置に配置することで、室内空間２１を間仕切り、分割した空間として活用することができる。そして、本実施形態の家具１０は、間仕切られた室内空間２１のそれぞれの空間に面した収納空間１７が確保されているため、間仕切り壁としてだけでなく、収納家具としても活用することができる。例えば、幼少の兄弟が一つの部屋を使用していて、成長とともに室内空間を間仕切ることで複数の空間を形成し、兄弟それぞれが間仕切られた別の空間を使用するようなときに使用することができる。そして、さらに年月が過ぎ、当該室内空間を間仕切る必要がなくなった場合は、家具１０を折り畳むことで容易に撤去したり、移動したりすることができる。
【００３５】
また、本実施形態の家具１０を展開させた状態で室内空間２１の中間位置に配置することで、家具１０の両側に間仕切られた空間を形成でき、この状態で何れの側でも家具の外観品質を確保できる。また、家具１０は、何れの側にも収納空間１７の開口１８が設けられているため、何れの側でも収納家具として利用することができる。
また、図２に示すように、室内空間２１の中間位置に配置された家具１０の側板１１ａと、室内空間を囲む側壁２５などとの間の間隔（隙間）に、ドア２３などを配置することも可能であり、使い勝手よく間仕切られた空間を形成することができる。
【００３６】
次に、このような本実施形態の家具１０を折り畳む方法を説明する。
図４は本実施形態の家具１０において背板１５を幅方向Ｗの分割線１５ｄで折り畳んだ状態を示し、図５は本実施形態の家具１０において横板１３を折り畳む途中の状態を示し、図６は本実施形態の家具１０における折り畳み状態を示している。
【００３７】
図１に示す展開状態の家具１０を図６に示す折り畳み状態にするには、まず、図４に示すように背板１５を折り畳む。
ここでは図３及び図４に示すように、各第４ヒンジ部１９ｄにより上下の第２分割縦片１５ｆを第１分割縦片１５ｅに積層するように折り畳む。なお、展開した状態および折り畳んだ状態を保持するために、適宜の箇所にマグネットなどを取り付けてもよい。さらに、図２に示すように第３ヒンジ部１９ｃにより第２分割縦片１５ｆが積層された第１分割縦片１５ｅを縦板１１に対して積層するように折り畳む。
【００３８】
その後、図１及び図５に示すように、天板１３ａの各分割横片１３ｅを第１ヒンジ部１９ａ及び第２ヒンジ部１９ｂにより下向きに折り畳み、底板１３ｂ及び固定棚板１３ｃの各分割横片１３ｅを上向きに折り畳む。
このとき背板１５の下端側が分割されて、その第２分割縦片１５ｆが第４ヒンジ部１９ｄにより上方に折り畳まれているため、図５に示すように、底板１３ｂの各分割横片１３ｅが上向きに折り畳まれても、互いに重なったり干渉したりすることがなく、背板１５と底板１３ｂとが略同一の厚みで折り畳まれて縦板１１に積層される。
【００３９】
そして、図６に示すように、一対の側板１１ａ，１１ａ間を縮小（近接）させることで、仕切板１１ｂと複数の横板１３及び複数の背板１５が全て一対の側板１１ａ，１１ａ間に略平行に積層配置され、家具１０を折り畳み状態にすることができる。
なお、家具１０を使用する際は、上記折り畳む方法の逆の手順を踏むことにより容易に展開状態にすることができる。
【００４０】
以上のような折り畳み可能な家具１０によれば、側板１１ａ及び仕切板１１ｂからなる縦板１１が高さ方向Ｈに連続して形成されている。また、天板１３ａ、底板１３ｂ及び固定棚板１３ｃからなる横板１３が幅方向Ｗに分割されてヒンジ部１９により縦板１１に折り畳み可能に連結している。さらに、縦板１１及び横板１３に囲まれる各収納空間１７の一方の開口１８を覆う背板１５が高さ方向Ｈに分割されてヒンジ部１９により縦板１１に折り畳み可能に連結している。
これにより、複数の横板１３及び複数の背板１５を折り畳むことでそれぞれ一対の側板１１ａ，１１ａ間に略平行に積層配置することができ、さらに複数の横板１３及び複数の背板１５が折り畳まれることで仕切板１１ｂも一対の側板１１ａ，１１ａ間に略平行に積層配置（折り畳み配置）することができる。
【００４１】
そのため展開状態では、一対の側板１１ａ，１１ａ及び複数の仕切板１１ｂからなる縦板１１を互いに離間して配置するとともに複数の横板１３及び背板１５をそれぞれ配置することで、縦板１１及び横板１３に囲まれて一方の開口１８が背板１５により覆われた多数の収納空間１７を有する家具１０として使用でき、十分な収容量を確保できる。
【００４２】
そして、折り畳み状態では、仕切板１１ｂと複数の横板１３及び複数の背板１５が一対の側板１１ａ，１１ａ間に略平行に積層配置されるため、幅方向Ｗの長さを積層された側板１１ａ、仕切板１１ｂ、横板１３及び背板１５の厚みの和程度までコンパクトに折り畳むことができる。
その結果、家具１０を使用しないときには、コンパクトに配置できて邪魔にならず、使用するときには、多数の収納空間１７を有する家具１０として十分な収容量を確保できる。
【００４３】
また、本実施形態では、縦板１１及び横板１３に囲まれる各収納空間１７の一方の開口１８を覆う背板１５を間仕切壁として機能させることができるため、室内空間２１の中間位置に配置することで両側から視認されたとしても、何れの側からでも美観を確保できる。
そのため、家具１０を展開状態にして室内空間２１の中間位置に配置することで、室内空間２１を複数の空間に仕切ることができ、何れの側からも美観を確保しつつ上述のように多数の収納空間１７を有する家具１０として使用することができる。
したがって、使用しないときいはコンパクトに配置でき、使用するときは室内空間２１の間仕切り壁として機能させることができるとともに、収納空間１７を多数備えた家具１０としても有効活用することができる。
【００４４】
本実施形態における折り畳み可能な家具１０によれば、互いに異なる収納空間１７に一方側開口１８ａを覆う一方側背板１５ａと、他方側開口１８ｂを覆う他方側背板１５ｂと、が設けられているため、複数の収納空間１７のうちの一部が一方側のみに開口し、残部が他方側のみに開口する。
そのため、間仕切りとして使用した際、仕切られた室内空間２１の何れの側からも、互いに異なる収納空間１７を使用することが可能である。したがって、１つの間仕切りを両側の室内空間２１の家具１０として活用することができる。
【００４５】
また、本実施形態の家具１０では、横板１３が奥行方向Ｄの分割線１３ｄにより複数の分割横片１３ｅに分割され、隣接する縦板１１との間が第１ヒンジ部１９ａにより折り畳み可能に連結され、互いに隣接する分割横片１３ｅ同士が第２ヒンジ部１９ｂにより折り畳み可能に連結されているため、横板１３を容易に縦板１１と平行に積層配置することができる。
【００４６】
さらに、本実施形態における折り畳み可能な家具１０によれば、背板１５が互いに隣接する縦板１１間毎に設けられて幅方向Ｗの分割線１５ｄにより分割された第１分割縦片１５ｅと第２分割縦片１５ｆとを有し、１枚の縦板１１と第１分割縦片１５ｅとが第３ヒンジ部１９ｃにより折り畳み可能に連結され、第１分割縦片１５ｅと第２分割縦片１５ｆとが第４ヒンジ部１９ｄにより折り畳み可能に連結されている。そのため第１分割縦片１５ｅと第２分割縦片１５ｆとを折り畳むことで、背板１５の高さ方向Ｈの長さを小さくすることができる。
さらに、固定棚板１３ｃの高さで幅方向Ｗの分割線１５ｄにより第１分割縦片１５ｅと第２分割縦片１５ｆとに分割されているため、折り畳んだ背板１５を固定棚板１３ｃと重ならないように折り畳むことができる。
その結果、折り畳み状態で、より一対の側板１１ａ，１１ａ間の距離をより小さく抑えることができる。
【００４７】
以上、本発明による折り畳み可能な家具１０についての一実施形態について説明したが、本発明は上記の実施形態に限定されるものではなく、その趣旨を逸脱しない範囲で適宜変更可能である。
例えば、上記実施形態では、一対の側板１１ａ，１１ａ間を完全に展開した場合と、完全に折り畳んで収縮させた場合と、について説明したが、一部の縦板１１間を展開させて残部を展開させない状態とし、展開させた縦板１１間だけに横板１３及び背板１５を配置することで使用することも可能であり、様々な幅方向Ｗの長さを有する家具として使用することができる。
【００４８】
上記実施形態では、複数の縦板１１が側板１１ａと該側板１１ａと同等の形状の仕切板１１ｂとからなる例について説明したが、家具１０にはそのような縦板１１に加えて縦方向に配置された他の板（収納空間１７を縦方向に仕切る仕切板など）を備えていてもよい。
また、上記実施形態では、各縦板１１間に１枚の固定棚板１３ｃを全て略同じ高さに設けたが、何ら限定されるものではなく、例えば各縦板１１間毎に異なる高さに設けてもよく、また一部の縦板１１間に１枚も設けなくてもよく、さらに一部又は全部に複数の固定棚板１３ｃを設けてもよい。
【００４９】
また、上記実施形態では、背板１５が底板１３ｂと固定棚板１３ｃとの間に折り畳み収納できるように構成されていたが、背板１５は、天板１３ａと固定棚板１３ｃとの間に折り畳み収納できるように構成してもよい。
また、上記実施形態では、家具１０の展開時（使用時）に横板１３や背板１５の固定方法については詳細に説明していないが、マグネット、棚ダボ、その他一般的な係止手段などにより支持固定できるように構成してもよい。
さらに、上記実施形態では、一方側背板１５ａと他方側背板１５ｂとが交互になるように配置された場合の説明をしたが、図７（ａ）に示すように、いずれかの側に全ての背板１５が配されていてもよく、また、図７（ｂ）に示すように、一方側背板１５ａと他方側背板１５ｂとがランダムに配置されていてもよい。
【符号の説明】
【００５０】
１０…家具
１１…縦板
１１ａ…側板
１１ｂ…仕切板
１３…横板
１３ａ…天板
１３ｂ…底板
１３ｃ…固定棚板
１３ｄ…分割線
１３ｅ…分割横片
１５…背板
１５ａ…一方側背板
１５ｂ…他方側背板
１５ｄ…分割線
１５ｅ…第１分割縦片（分割縦片）
１５ｆ…第２分割縦片（分割縦片）
１７…収納空間
１８…開口
１８ａ…一方側開口
１８ｂ…他方側開口
１９…ヒンジ部
１９ａ…第１ヒンジ部
１９ｂ…第２ヒンジ部
１９ｃ…第３ヒンジ部
１９ｄ…第４ヒンジ部
２１…室内空間
２３…ドア
２５…側壁
Ｈ…高さ方向
Ｄ…奥行方向
Ｗ…幅方向
【図１】
2018191712.tif 000003
【図２】
2018191712.tif 000004
【図３】
2018191712.tif 000005
【図４】
2018191712.tif 000006
【図５】
2018191712.tif 000007
【図６】
2018191712.tif 000008
【図７】
2018191712.tif 000009